(57)【特許請求の範囲】
【請求項１】
太陽光パネルの上辺に沿って配置され、当該貯水タンク内の水を通す配管と、
当該配管に複数形成され、前記配管内の水を前記太陽光パネル面に放出する散水口と、
当該配管における前記貯水タンクの近傍に設けられ、前記太陽光パネルの上部へ給水する開状態及び前記太陽光パネルの上部へ給水を規制する閉状態のいずれかに切り替える開閉弁と、
前記太陽光パネルの温度を計測する温度センサと、
前記太陽光パネルの表面における下部に設置され、前記太陽光パネル面の下部にかかる荷重を計測する荷重センサと、
前記温度センサの計測値が予め設定した温度値を越えた場合又は前記荷重センサの計測値が予め設定した荷重値を越えた場合に開状態とし、越えない場合に閉状態とするように前記開閉弁を制御する制御装置と、
前記太陽光パネルからの電力を蓄積し、前記開閉弁、前記温度センサ、前記荷重センサ及び前記制御装置の電源となる蓄電池と、
前記太陽光パネルからの直流電源を商用交流電源に変換するＤＣ−ＡＣ変換器と、
前記太陽光パネルからの直流電源を前記ＤＣ−ＡＣ変換器側と前記蓄電池側とに分岐させる接続箱と、を備えることを特徴とする太陽光パネルの散水装置。
【請求項２】
前記太陽光パネルは、所定の間隔を空けてマトリクス状に配置され、かつ太陽光発電素子を備える太陽光発電セルと、当該太陽光発電セル上に配置されるガラス板とを有し、
前記ガラス板は、隣り合う太陽光発電セルの間の領域に上下方向に延びる溝を有し、
前記散水口は、前記溝の上端部の近傍に配置されることを特徴とする請求項１記載の太陽光パネルの散水装置。
【請求項３】
前記貯水タンクは、前記蓄電池を電源として内部の水を加熱するヒータを備えることを特徴とする請求項１又は２記載の太陽光パネルの散水装置。
【請求項４】
前記太陽光パネル付近の照度を計測する照度センサを更に備え、
前記制御装置は、前記荷重センサの計測値が予め設定した荷重値を越えた状態において、前記照度センサの計測値が予め設定した照度値を越えている場合に前記開閉弁を開状態とすることを特徴とする請求項１乃至３のいずれか１項記載の太陽光パネルの散水装置。
【発明の詳細な説明】
【技術分野】
【０００１】
本発明は、太陽光パネルの散水装置に関する。
【背景技術】
【０００２】
近年、環境対策の一つとして、太陽光パネルを住宅、商業施設や工場施設等、各種の建物に設けることが奨励されている。
【０００３】
ところで、太陽光パネルは、夏場の直射日光等によりパネル温度が上昇すると、発電効率が低下する。例えば、パネル温度が１０℃上昇することによる損失は、約４％程度であり、夏場において、パネルが基準温度（２５℃）から５０℃まで温度上昇したとすると、基準温度（２５℃）からの差が２５℃であるので、発電効率が約１０％も下がることになる。また、冬場には、地域によっては太陽光パネル上に積雪する場合があり、太陽光パネルが雪で覆われると太陽光パネルの受光量が低下する。このため、降雪後に晴天となった場合でも、太陽光パネルが発電できない状態が継続する。
【０００４】
そこで、従来、夏場においては太陽光パネルの冷却を目的として太陽光パネル面に散水を行い、冬場においては太陽光パネル上の雪を溶かすことを目的として太陽光パネル面に散水を行うことが提案されている。
【０００５】
また、太陽光パネル上の埃の除去を目的として散水を行うことが特許文献１で提案されている。特許文献１によれば、太陽電池の電力を、二次電池を介して負荷に供給する太陽電池電源装置において、二次電池が過充電状態の時に太陽電池の電力を用いてポンプを駆動させ、水を貯水槽に汲み上げておく。そして、この貯水槽が所定水量に達したときに、太陽電池受光面に散水し、太陽電池の受光面上の塵埃を除去する太陽電池電源装置について開示されている。
【先行技術文献】
【特許文献】
【０００６】
【特許文献１】実開昭６２−２０１９５５号公報
【発明の概要】
【発明が解決しようとする課題】
【０００７】
ところで、夏場における太陽光パネルへの散水は、太陽光パネルがある程度熱くなった場合に行うことが望ましく、冬場における太陽光パネルへの散水は、太陽光パネル上に雪が降り積もった場合に散水を行うことが望ましい。このため、散水機能の自動制御を行い、夏場及び冬場においてそれぞれ適したタイミングで散水を実行するようにすることが望ましい。
【０００８】
また、特許文献１の装置によれば、太陽光発電の電力を充電する二次電池を備えており、水位を検知するセンサや弁の開閉及びそれらを制御する制御装置は、二次電池の電力を使用している。しかし、この二次電池は負荷にも電力を供給しているため、例えば、負荷における電力消費が大きく、二次電池の電力が全て消費されている状態においては、水位を検知するセンサや弁及びそれらを制御する制御装置が起動しないおそれがある。
【０００９】
そこで、散水専用の電源を用意することが考えられる。この場合、散水できる程度の電源であればよく、電源にかかるコストを抑えるためにも、省電力で散水が実行可能な散水装置であることが望ましい。
【００１０】
本発明は、このような問題点を解決し、夏場において太陽光パネルを冷却し、冬場において太陽光パネル上の雪を溶かすための散水をタイミングよく行うことを実現した太陽光パネルの散水装置を提供することを目的とする。
【課題を解決するための手段】
【００１１】
前記目的を達成するため、本発明は、次に記載する構成を備えている。
【００１２】
（１）太陽光を受光できるように、設置場所に斜めに設置された太陽光パネルよりも上方に配置され、内部に貯水する貯水タンクと、太陽光パネルの上辺に沿って配置され、当該貯水タンク内の水を通す配管と、当該配管に複数形成され、前記配管内の水を前記太陽光パネル面に放出する散水口と、当該配管における前記貯水タンクの近傍に設けられ、前記太陽光パネルの上部へ給水する開状態及び前記太陽光パネルの上部へ給水を規制する閉状態のいずれかに切り替える開閉弁と、前記太陽光パネルの温度を計測する温度センサと、前記太陽光パネル面にかかる荷重を計測する荷重センサと、前記温度センサの計測値が予め設定した温度値を越えた場合又は前記荷重センサの計測値が予め設定した荷重値を越えた場合に開状態とし、越えない場合に閉状態とするように前記開閉弁を制御する制御装置と、前記太陽光パネルからの電力を蓄積し、前記開閉弁、前記温度センサ、前記荷重センサ及び前記制御装置の電源となる蓄電池と、前記太陽光パネルからの直流電源を商用交流電源に変換するＤＣ−ＡＣ変換器と、前記太陽光パネルからの直流電源を前記ＤＣ−ＡＣ変換器側と前記蓄電池側とに分岐させる接続箱と、を備えることを特徴とする太陽光パネルの散水装置。
【００１３】
（１）によれば、貯水タンクが太陽光パネルよりも上方に配置されているため、開閉弁を開状態とすることにより、貯水タンク内の水が配管を流れ、散水口を介して太陽光パネル面に放出される。このため、貯水タンク内の水を配管に流すためにポンプ等を用意する必要がなく、省電力で散水することが可能になる。このため、電源となる蓄電池として高性能のものを用いる必要がなく、更に、蓄電池は、太陽光パネルの電力を蓄電するので、散水装置にかかる電力コストを低減することができる。
【００１４】
また、温度センサの計測値が予め設定した温度値を越えた場合に太陽光パネル面に散水されるため、熱くなった太陽光パネルをタイミングよく冷却することが可能になる。これにより、太陽光パネルの温度上昇による発電効率の低下を抑えることが可能になる。更に、荷重センサの計測値が予め設定した荷重値を越えた場合に太陽光パネル面に散水されるため、太陽光パネル上に積もった雪をタイミングよく溶かすことが可能になる。これにより、太陽光パネル上に積もった雪によって太陽光パネルにおける受光量が低下することによる発電効率の低下を抑えることが可能になる。
【００１５】
（２）  （１）において、前記太陽光パネルは、所定の間隔を空けてマトリクス状に配置され、かつ太陽光発電素子を備える太陽光発電セルと、当該太陽光発電セル上に配置されるガラス板とを有し、前記ガラス板は、隣り合う太陽光発電セルの間の領域の上部に上下方向に延びる溝を有し、前記散水口は、前記溝の上端部の近傍に配置されることを特徴とする太陽光パネルの散水装置。
【００１６】
（２）によれば、太陽光発電セル同士が隣り合う領域の上方のガラス板面に上下方向に延びる溝が形成されているため、散水口から放出された水は、ガラス板面の溝を流れるようになる。これにより、夏場において、太陽光発電セルを間接的に冷やすことが可能になり、しかも、散水によって太陽光パネルにおける太陽光が屈折する領域を低減することが可能になるため、散水中の受光効率の低下を抑制することが可能になる。また、太陽光パネル上に積雪した場合に、溝の部分において上方から下方に水が直線的に流れることによって、散水された水がパネル上部の雪ばかりではなく、パネル下部の雪を溶かすことが可能になる。これにより、冬場において、太陽光パネル上の積雪を効率よく溶かすことが可能になる。
【００１７】
（３）  （１）又は（２）において、前記貯水タンクは、前記蓄電池を電源として内部の水を加熱するヒータを備えることを特徴とする太陽光パネルの散水装置。
【００１８】
（３）によれば、貯水タンク内の水を加熱することにより、温まった水を太陽光パネルに散水することが可能になる。これにより、冬場において、太陽光パネル上の積雪を効率よく溶かすことが可能になる。
【００１９】
（４）  （１）〜（３）において、前記太陽光パネル付近の照度を計測する照度センサを更に備え、前記制御装置は、前記荷重センサの計測値が予め設定した荷重値を越えた状態において、前記照度センサの計測値が予め設定した照度値を越えている場合に前記開閉弁を開状態とすることを特徴とする太陽光パネルの散水装置。
【００２０】
（４）によれば、例えば、冬場において、降雪時には照度センサの計測値が低くなるため、照度センサの計測値によって降雪状態であるか否かを判別することが可能になる。このため、荷重センサの計測値が予め設定した荷重値を越えた場合に、降雪時ではなく晴天時に散水を行って太陽光パネル上の雪を溶かすことが可能になり、効率よく融雪することが可能になる。
【発明の効果】
【００２１】
本発明によれば、夏場において太陽光パネルを冷却し、冬場において太陽光パネル上の雪を溶かすための散水をタイミングよく行うことを実現した太陽光パネルの散水装置を提供することが可能になる。
【図面の簡単な説明】
【００２２】
【図１】本発明の一実施形態における散水装置１の構成を示す説明図である。
【図２】散水装置１の制御系を示すブロック図である。
【図３】ＣＰＵ２２が実行するメイン処理を示すフローチャートである。
【図４】図３の開閉弁制御処理を示すフローチャートである。
【図５】本発明の他の実施形態における散水装置１の構成を示す説明図である。
【発明を実施するための形態】
【００２３】
以下、本発明の実施形態について、図面を参照しながら詳細に説明する。
図１は本発明の一実施形態における散水装置１の構成を示す説明図である。散水装置１は、貯水タンク１０と、接続用配管１２と、散水用配管１４と、開閉弁１６と、制御装置２０と、温度センサ３０と、荷重センサ３２と、照度センサ３４と、蓄電池４０と、ＤＣ−ＡＣ変換器４２と、接続箱４４を備えている。散水装置１は、太陽光パネル１００に設置され、太陽光パネル１００のパネル面に散水するものである。
【００２４】
太陽光パネル１００は、矩形の基板上に太陽光発電セル１０２をマトリクス状に配列し、更に太陽光発電セル１０２上にガラス板１０４を重ねた構成である。太陽光発電セル１０２は、太陽光発電素子１０６を複数個マトリクス状に配列した構成であり、これらの太陽光発電素子１０６が太陽光を受光することによって発電が行われる。太陽光パネル１００は、例えば、建物の屋上や所定の敷地内等の設置場所に、１日の受光量が大きくなるように、太陽側にパネル面を斜めに傾けて設置される。
【００２５】
貯水タンク１０は、内部に雨水や水道水を導入することによって散水用の水を蓄えている。この貯水タンク１０は、太陽光パネル１００の最上部よりも更に上方に設置されている。
【００２６】
接続用配管１２は、一端部が貯水タンク１０の下部に接続され、他端部の散水用配管１４の一端部に接続され、貯水タンク１０の水を散水用配管１４に導く配管である。
【００２７】
散水用配管１４は、太陽光パネル１００の最上部に、上辺に沿って設置される長尺の直線状の管である。散水用配管１４は、太陽光パネル１００に設置された場合に、貯水タンク１０の下方に配置される。散水用配管１４の側面には、長手方向に沿って複数の散水口１４ａが形成されており、散水用配管１４の他端は蓋体（図示せず）によって封止されている。このように、接続用配管１２及び散水用配管１４は、本発明の配管に相当する。
【００２８】
開閉弁１６は、接続用配管１２に設けられ、制御装置２０からの駆動制御信号に基づいて、接続用配管１２の流路を開放する開状態、閉鎖する閉状態のいずれかに自動的に切り替える。
【００２９】
制御装置２０は、温度センサ３０、荷重センサ３２及び照度センサ３４等の検知結果に基づいて、開閉弁１６の開閉制御を行う。開閉弁１６が開状態の場合には、貯水タンク１０の水が、接続用配管１２を介して散水用配管１４に流入する。これにより、太陽光パネル１００の上部に給水され、散水口１４ａから太陽光パネル１００のパネル面に散水される。開閉弁１６が閉状態の場合には、貯水タンク１０の水が散水用配管１４に流入しない。すなわち、太陽光パネル１００の上部への給水が規制されるため、太陽光パネル１００のパネル面への散水が実行されない。
【００３０】
温度センサ３０は、太陽光パネル１００の表面温度を検出し、検出結果を制御装置２０に送信する。荷重センサ３２は、太陽光パネル１００の表面に加わる荷重を検出し、検出結果を制御装置２０に送信する。照度センサ３４は、太陽光パネル１００の表面付近の照度を検出し、検出結果を制御装置２０に送信する。
【００３１】
温度センサ３０及び荷重センサ３２は、太陽光パネル１００の表面における任意の位置に設置可能であるが、荷重センサ３２は、太陽光パネル１００の表面における下部に設置するのが望ましい。これにより、冬場において積雪があった場合に、荷重センサ３２が積雪による荷重をより確実に検出することが可能になる。また、照度センサ３４は、冬場において雪が積もらない場所に設置するか、あるいは雪が積もり難い形状、例えば球状あるいは円錐状にするのが望ましい。これにより、天気が雪から晴れに変わった場合等に、照度センサ３４に付着している雪が少なくなるため、正確に照度を検出することが可能になる。
【００３２】
蓄電池４０は、太陽光パネル１００が発電した電力を蓄積する充電電池であり、開閉弁１６、温度センサ３０、荷重センサ３２、照度センサ３４及び制御装置２０等の電源となる。
【００３３】
ＤＣ−ＡＣ変換器４２は、太陽光パネル１００からの直流電源を商用交流電源に変換する。この商用交流電源によって、例えば、住宅内の各種の電気機器を使用することが可能になる。接続箱４４は、太陽光パネル１００からの直流電源をＤＣ−ＡＣ変換器４２側と蓄電池４０側とに分岐させる。
【００３４】
図２は、散水装置１の制御系を示すブロック図であり、制御装置２０は、散水装置１全体の制御を行うＣＰＵ２２と、ＣＰＵ２２に開閉弁１６の開閉制御を実行させるためのプログラムが電気的に記憶されている記憶部２４と、月日データを生成するカレンダー部２６と、時刻データを生成する時計部２８とを備えている。なお、ＣＰＵ２２が記憶部２４の一部の記憶領域に保存された月日データや時刻データを更新することによってカレンダー部２６及び時計部２８として機能する。
【００３５】
また、ＣＰＵ２２は、開閉弁１６と、温度センサ３０と、荷重センサ３２と、照度センサ３４と、貯水タンク１０内の水位を検出する水位センサ３６と、貯水タンク１０内に設けられ貯水タンク１０内の水を加熱するヒータ３８と、蓄電池４０とに通信線によって接続されている。ここで、水位センサ３６及びヒータ３８は蓄電池４０を電源としている。
【００３６】
図３は、ＣＰＵ２２が実行するメイン処理を示すフローチャートである。
図３に示すように、ステップＳ１において、ＣＰＵ２２は、水位制御処理を行う。この処理において、ＣＰＵ２２は、水位センサ３６の検知結果に基づいて水位を求め、水位が一定レベルより低下した場合に、図示しない水道水導入用の弁を駆動させる制御信号を出力する処理を行い、貯水タンク１０内に水道水を所定量導入する。この処理が終了した場合には、ステップＳ２に処理を移す。
【００３７】
ステップＳ２において、ＣＰＵ２２は、蓄電池４０の残量に基づいてヒータ３８をオンオフさせる制御信号を出力する処理を行う。この処理において、ＣＰＵ２２は、蓄電池４０の残量が一定レベルまで低下した場合に、ヒータ３８をオフにして蓄電池４０の充電を行う。そして、蓄電池４０の充電が完了した場合に、ヒータ３８をオンにする。これにより、開閉弁１６、温度センサ３０、荷重センサ３２、照度センサ３４、水位センサ３６及び制御装置２０に供給する電力を確保しつつ、貯水タンク１０内の水を加熱することが可能になる。
【００３８】
なお、ＣＰＵ２２は、月日データに基づいて、例えば、降雪が極めて少ない４月〜１０月においてはヒータ３８を強制的にオフにし、１１月〜３月においては時刻データに基づいて、夜間にヒータ３８を強制的にオフにする制御信号を出力する処理を行う。これにより、夏場のように、貯水タンク１０内の水を加熱する必要がない時期にヒータ３８を駆動させることがなくなる。また、冬場において、夜間にヒータ３８が駆動して蓄電池４０の電力が消費されることがなくなる。この処理が終了した場合には、ステップＳ３に処理を移す。
【００３９】
ステップＳ３において、ＣＰＵ２２は、図４に示す開閉弁制御処理を実行する。開閉弁制御処理については後述する。この処理が終了した場合には、ステップＳ１に処理を移す。
【００４０】
図４は、図３に示す開閉弁制御処理を示すフローチャートである。
図４に示すように、ステップＳ１０において、ＣＰＵ２２は、温度センサ３０が計測した太陽光パネル１００の温度が予め設定された基準温度（例えば、５０℃）を越えたか否かを判定する処理を行う。なお、基準温度は記憶部２４に記憶されている。太陽光パネル１００の温度が基準温度を越えたとＣＰＵ２２が判定した場合には、ステップＳ１６に処理を移し、太陽光パネル１００の温度が基準温度を越えたとＣＰＵ２２が判定しない場合には、ステップＳ１２に処理を移す。
【００４１】
ステップＳ１２において、ＣＰＵ２２は、荷重センサ３２が計測した太陽光パネル１００にかかる荷重が予め設定された基準荷重を越えたか否かを判定する処理を行う。なお、基準荷重は記憶部２４に記憶されている。荷重センサ３２が計測した荷重が基準荷重を越えたとＣＰＵ２２が判定した場合には、ステップＳ１４に処理を移し、荷重センサ３２が計測した荷重が基準荷重を越えたとＣＰＵ２２が判定しない場合には、開閉弁制御処理を終了する（図３のステップＳ１に処理を移す）。
【００４２】
ステップＳ１４において、ＣＰＵ２２は、照度センサ３４が計測した太陽光パネル１００付近の照度が予め設定された基準照度を越えたか否かを判定する処理を行う。なお、基準照度は記憶部２４に記憶されている。照度センサ３４が計測した照度が基準照度を越えたとＣＰＵ２２が判定した場合には、ステップＳ１６に処理を移し、照度センサ３４が計測した照度が基準照度を越えたとＣＰＵ２２が判定しない場合には、開閉弁制御処理を終了する（図３のステップＳ１に処理を移す）。
【００４３】
ステップＳ１６において、ＣＰＵ２２は、開閉弁１６を開放させる処理を行う。この処理において、ＣＰＵ２２は、開閉弁１６に開状態にすることを指示する制御信号を送信する。この制御信号を受信した開閉弁１６は、図示しない駆動機構を駆動して接続用配管１２の流路を開放する。この処理が終了した場合には、ステップＳ１８に処理を移す。
【００４４】
ステップＳ１８において、ＣＰＵ２２は、開閉弁１６の開放時間を計時する処理を行う。この処理において、ＣＰＵ２２は、記憶部２４の所定の記憶領域に記憶された計時値を、一定時間毎に一定値ずつ加算した値に更新するタイマ機能を実行する処理を行う。この処理が終了した場合には、ステップＳ２０に処理を移す。
【００４５】
ステップＳ２０において、ＣＰＵ２２は、開閉弁１６の開放時間が予め設定された設定時間を越えたか否かを判定する処理を行う。なお、設定時間は記憶部２４に記憶されている。タイマ機能の計時値が設定時間を越えたとＣＰＵ２２が判定した場合には、ステップＳ２２に処理を移し、タイマの計時値が設定時間を越えたとＣＰＵ２２が判定しない場合には、ステップＳ１８に処理を移す。
【００４６】
ステップＳ２２において、ＣＰＵ２２は、開閉弁１６を閉鎖する処理を行う。この処理において、ＣＰＵ２２は、開閉弁１６に閉状態にすることを指示する制御信号を送信する。この制御信号を受信した開閉弁１６は、図示しない駆動機構を駆動して接続用配管１２の流路を閉鎖する。すなわち、太陽光パネル１００への散水は、記憶部２４に記憶された設定時間中に実行される。この処理が終了した場合には、ステップＳ２４に処理を移す。
【００４７】
ステップＳ２４において、ＣＰＵ２２は、開閉弁１６の開放時間を計時するタイマとして使用した記憶部２４の所定の記憶領域の計時値をクリアする処理を行う。この処理が終了した場合には、開閉弁制御処理を終了する（図３のステップＳ１に処理を移す）。
【００４８】
このように構成された本実施形態によれば、次に記載する効果を奏する。
まず、本実施形態によれば、貯水タンク１０が太陽光パネル１００よりも上方に配置されているため、開閉弁１６を開状態とすることにより、貯水タンク１０内の水が接続用配管１２及び散水用配管１４を流れ、散水口１４ａを介して太陽光パネル１００の受光面に放出される。このため、貯水タンク１０内の水を接続用配管１２及び散水用配管１４に流すためにポンプ等を用意する必要がなく、省電力で散水することが可能になる。このため、電源となる蓄電池４０として高性能のものを用いる必要がなく、更に、蓄電池４０は、太陽光パネル１００の電力を蓄電するので、散水装置１にかかる電力コストを低減することができる。
【００４９】
また、本実施形態によれば、温度センサ３０の計測値が予め設定した基準温度の値を越えた場合に太陽光パネルの受光面に散水されるため、夏場において、熱くなった太陽光パネル１００をタイミングよく冷却することが可能になる。これにより、太陽光パネル１００の温度上昇による発電効率の低下を抑えることが可能になる。
【００５０】
更に、本実施形態によれば、荷重センサ３２の計測値が予め設定した基準荷重値を越えた場合に太陽光パネルの受光面に散水されるため、太陽光パネル１００上に積もった雪をタイミングよく溶かすことが可能になる。これにより、冬において、太陽光パネル上に積もった雪によって太陽光パネル１００における受光量が低下することによる発電効率の低下を抑えることが可能になる。
【００５１】
また、本実施形態によれば、貯水タンク１０内の水をヒータ３８によって加熱することにより、温まった水を太陽光パネル１００に散水することが可能になる。これにより、冬場において、太陽光パネル１００上の積雪を効率よく溶かすことが可能になる。
【００５２】
また、本実施形態によれば、荷重センサ３２の計測値と照度センサ３４の計測値を用いて、散水するか否かを決定している。これにより、例えば、冬場において、降雪時には照度センサの計測値が低くなるため、照度センサの計測値によって降雪状態であるか否かを判別することが可能になる。このため、荷重センサの計測値が予め設定した荷重値を越えた場合に、降雪時ではなく晴天時に散水を行って太陽光パネル上の雪を溶かすことが可能になる。その結果、効率よく融雪することが可能になる。
【００５３】
また、本実施形態によれば、蓄電池４０を、開閉弁１６、温度センサ３０、荷重センサ３２、照度センサ３４、水位センサ３６、ヒータ３８及び制御装置２０の電源としているため、太陽光パネル１００が発電した電力によってのみ散水を行うことが可能になる。
【００５４】
以上、本発明の実施形態について説明したが、本発明の実施形態は上述したものに限るものではない。例えば、図５に示すように、太陽光パネル１００のガラス板１０４における、水平方向に隣り合う太陽光発電セルの間の上下方向に延びる領域の上部に、上下方向に延びる溝６０を形成し、溝６０の上端部近傍に散水口１４ａを配置してもよい。
【００５５】
このように構成することにより、散水口１４ａから放出された水は、ガラス板１０４の板面に形成された溝６０を流れるようになるため、夏場において、太陽光発電セル１０２を間接的に冷やすことが可能になる。しかも、散水によって太陽光パネル１００における太陽光が屈折する領域を低減することが可能になるため、散水中の受光効率の低下を抑制することが可能になる。また、太陽光パネル１００上に積雪した場合に、溝６０の部分において上方から下方に水が直線的に流れることによって、散水された水が太陽光パネル１００の上部の雪ばかりではなく、太陽光パネル１００の下部の雪を溶かすことが可能になる。これにより、冬場において、太陽光パネル上の積雪を効率よく溶かすことが可能になる。
【００５６】
上述した実施形態によれば、散水用配管１４の一端部から貯水タンク１０の水を導入しているが、それに限らず、例えば、散水用配管１４の中央部から導入してもよい。また、上述した実施形態によれば、一本の散水用配管１４に対して一個の貯水タンク１０から水を導入しているが、それに限らず、複数の貯水タンク１０から水を導入してもよい。また、図１に示す太陽光パネル１００を複数並列配置し、更に散水用配管１４を複数本継ぎ足すように構成してもよい。また、カレンダー部２６の月日データに基づいて、定期的に散水したり、黄砂や花粉が飛散する時期に散水したりすることも可能である。
【符号の説明】
【００５７】
１  散水装置
１０  貯水タンク
１２  接続用配管
１４  散水用配管
１４  開閉弁
１４ａ  散水口
１６  開閉弁
２０  制御装置
２２  ＣＰＵ
２４  記憶部
２６  カレンダー部
２８  時計部
３０  温度センサ
３２  荷重センサ
３４  照度センサ
３６  水位センサ
３８  ヒータ
４０  蓄電池
４２  変換器
４４  接続箱
６０  溝
１００  太陽光パネル
１０２  太陽光発電セル
１０４  ガラス板
１０６  太陽光発電素子
【図１】
0005931526.tif 000002
【図２】
0005931526.tif 000003
【図３】
0005931526.tif 000004
【図４】
0005931526.tif 000005
【図５】
0005931526.tif 000006